(57)【要約】【課題】ディスクを排出するにあたり装置前面の一定位置でディスクが停止してディスクの取扱が容易なスロットイン型再生記録装置を提供すること。【解決手段】イジェクトアーム５２に設けられるとともにセレクトプレート５１側に付勢される係合ピン５５と、セレクトプレート５１に形成されディスクが主アーム及びイジェクトアーム５２で保持される状態で係合ピン５５を係止する係合凹部５１Ｅ，５１Ｆとを備えて停止機構５９を構成する。セレクトプレート５１は主アームの開閉操作に伴ってディスク排出方向と直交する方向に移動可能とされる。ディスクの取り出し時に停止機構５９が作用してディスクが装置前面の一定位置で停止してスロット１Ａから飛び出すことを防止できる。【選択図】    図５
2004246969.tif 000002
【特許請求の範囲】
【請求項１】
ディスクを挿入排出するためのスロットが設けられる装置本体と、この装置本体の内部に設けられるとともにディスクを収納するホールドアッセンブリとを備え、
このホールドアッセンブリは、ベースプレートに設けられたセレクトプレートと、前記ディスクを押圧するとともに前記スロットに向けて前記ディスクを排出するイジェクトアームと、前記ベースプレートに回動自在に取り付けられるとともに前記ディスクを押圧する主アームと、この主アーム及び前記イジェクトアームで前記ディスクを前記スロットから排出する際に排出操作を停止する停止機構とを備え、前記セレクトプレートは前記主アームの開閉操作に伴って前記ベースプレートの平面と平行な平面内であって前記イジェクトアームの前記ディスク排出方向と交差方向に進退自在とされ、
前記停止機構は、前記イジェクトアームに設けられるとともに前記セレクトプレート側に付勢される係合ピンと、前記セレクトプレートに形成され前記ディスクが前記主アーム及び前記イジェクトアームで保持される状態で前記係合ピンを係止する係合凹部とを有することを特徴とするスロットイン型再生記録装置。
【請求項２】
請求項１に記載のスロットイン型再生記録装置において、
前記主アームは２個設けられていることを特徴とするスロットイン型再生記録装置。
【請求項３】
請求項１又は請求項２に記載のスロットイン型再生記録装置において、
前記係合凹部は、前記係合ピンの先端部が対向する平面部と、この平面部と前記セレクトプレートの前記イジェクトアームに対向する平面とに接続され前記イジェクトアームの移動方向とは交差する方向に沿って傾斜した傾斜面部とを備えていることを特徴とするスロットイン型再生記録装置。
【請求項４】
請求項１〜請求項３のいずれかに記載のスロットイン型再生記録装置において、
前記係合ピンと、前記セレクトプレートに形成された係止孔部とを備えて前記ディスクを保持した際に前記主アーム及び前記イジェクトアームをロックするアームロック機構を有することを特徴とするスロットイン型再生記録装置。
【請求項５】
請求項４に記載のスロットイン型再生記録装置において、
前記アームロック機構で前記ディスクをロックしたアームを開放操作してロックを解除するアームロック解除機構を備えたことを特徴とするスロットイン型再生記録装置。
【請求項６】
請求項１〜請求項５のいずれかに記載のスロットイン型再生記録装置において、
前記ディスクを記録及び／又は再生する記録再生機構と、この記録再生機構に前記ディスクが対向する位置と前記スロット側位置との間で前記ベースプレートを進退させるローディング機構とを備えたことを特徴とするスロットイン型再生記録装置。
【請求項７】
請求項６に記載のスロットイン型再生記録装置において、
前記ベースプレートには前記ディスクを保持するクランパが設けられ、このクランパを前記ベースプレートが前記記録再生機構まで前進した際に前記ディスクに近接させ前記スロットへ後退した際に前記ディスクから離隔するクランパホールド機構を備えたことを特徴とするスロットイン型再生記録装置。
【請求項８】
請求項６又は請求項７に記載のスロットイン型再生記録装置において、
前記記録再生機構が動作している場合には前記スロットを覆い前記記録再生機構が動作していない場合には前記スロットを開放するシャッタを前記装置本体に設け、このシャッタは前記ローディング機構の駆動を停止するとともに前記記録再生機構の駆動を開始するスイッチレバーと連結機構を介して連結されていることを特徴とするスロットイン型再生記録装置。
【請求項９】
請求項１〜請求項８のいずれかに記載のスロットイン型再生記録装置において、
前記イジェクトアームで前記ディスクを前記スロットに緩やかに押し出すためのダンパ機構を備えたことを特徴とするスロットイン型再生記録装置。
【請求項１０】
請求項６〜請求項９のいずれかに記載のスロットイン型再生記録装置において、
前記ローディング機構は、モータと、このモータに連結される歯車機構と、この歯車機構と連結されるとともに前記ベースプレートの進退方向に沿って設けられたラックとを備え、このラックと前記ベースプレートとの少なくとも一方には、前記進退方向に沿った相対移動を許容する溝が形成され、前記ベースプレートと前記歯車機構との間には前記ベースプレートが所定位置まで前進した際に前記モータの回転をスタートさせるスタートカム機構が設けられていることを特徴とするスロットイン型再生記録装置。
【請求項１１】
請求項１〜請求項１０のいずれかに記載のスロットイン型再生記録装置において、
前記ホールドアッセンブリをマニュアルでイジェクトするマニュアルイジェクト機構を備え、このマニュアルイジェクト機構は、複数回押すことで前記ディスクを取り出すイジェクト部材を有することを特徴とするスロットイン型再生記録装置。
【請求項１２】
請求項１１に記載のスロットイン型再生記録装置において、
前記イジェクト部材をマニュアルで押し前記ディスクをロックするディスクロック機構を備えたことを特徴とするスロットイン型再生記録装置。
【請求項１３】
請求項１１又は請求項１２に記載のスロットイン型再生記録装置において、
前記マニュアルイジェクト機構は前記イジェクト部材をマニュアルで押す方向のみの駆動を伝達するワンウェイクラッチを備えていることを特徴とするスロットイン型再生記録装置。
【請求項１４】
請求項６〜請求項１３のいずれかに記載のスロットイン型再生記録装置において、
前記記録再生機構は一端部側が回動自在に支持されるとともに他端部側が前記ホールドアッセンブリに収納された前記ディスクに向けて近接離隔するようにスイング可能に前記装置本体に取り付けられていることを特徴とするスロットイン型再生記録装置。
【発明の詳細な説明】
【０００１】
【発明の属する技術分野】
本発明は、ディスクを挿入排出するためのスロットが設けられたスロットイン型再生記録装置に関する。
【０００２】
【従来技術】
ディスクから情報を再生し、あるいは、ディスクに情報を記録するために再生記録装置が利用されている。
この再生記録装置として、ディスクを挿入排出するためのスロットが設けられる装置本体と、この装置本体の内部に設けられるとともにディスクに対して情報を再生記録する再生記録機構とを備えている。
再生記録装置には、ディスクをディスクトレイに装着した状態で装置本体に挿入するタイプの他に、装置本体に設けられたスロットに直接ディスクを挿入するスロットインタイプのものがある。
【０００３】
このスロットイン型再生記録装置として、従来では、装置本体の内部にディスクを引き込みあるいは押し出すための上下一対のロールをスロットの左右に設けたものがある。
この一対のロールはディスクの両面を挟持する構成であり、通常、ゴム等の材質から形成される。
【０００４】
【発明が解決しようとする課題】
このような従来例では、一対のロールでディスクを装置本体内に挿入あるいは外部へ排出する構成であるため、ディスクの表面は常にロールに接触することになり、汚れてしまう。
この課題を解決するために、ディスクの外周縁を異なる箇所から押圧する複数のアームを備え、これらのアームのうち１つがスロットに向けてディスクを排出するイジェクトアームとしたスロットイン型再生記録装置が考えられる。
しかしながら、イジェクトアームでディスクを押し出すと、ディスクがスロットから飛び出してしまい、取扱が不便であるという課題がある。
【０００５】
本発明の目的は、ディスクを排出するにあたり装置前面の一定位置でディスクが停止してディスクの取扱が容易なスロットイン型再生記録装置を提供することにある。
【０００６】
【課題を解決するための手段】
請求項１に記載の発明は、ディスクを挿入排出するためのスロットが設けられる装置本体と、この装置本体の内部に設けられるとともにディスクを収納するホールドアッセンブリとを備え、このホールドアッセンブリは、ベースプレートに設けられたセレクトプレートと、前記ディスクを押圧するとともに前記スロットに向けて前記ディスクを排出するイジェクトアームと、前記ベースプレートに回動自在に取り付けられるとともに前記ディスクを押圧する主アームと、この主アーム及び前記イジェクトアームで前記ディスクを前記スロットから排出する際に排出操作を停止する停止機構とを備え、前記セレクトプレートは前記主アームの開閉操作に伴って前記ベースプレートの平面と平行な平面内であって前記イジェクトアームの前記ディスク排出方向と交差方向に進退自在とされ、前記停止機構は、前記イジェクトアームに設けられるとともに前記セレクトプレート側に付勢される係合ピンと、前記セレクトプレートに形成され前記ディスクが前記主アーム及び前記イジェクトアームで保持される状態で前記係合ピンを係止する係合凹部とを有することを特徴とするスロットイン型再生記録装置である。
【０００７】
【発明の実施の形態】
以下、本発明の一実施形態を図面に基づいて説明する。
図１は本実施形態の内部構造の全体を示す平面図である。
図１において、スロットイン型再生記録装置は、正面にディスクを挿入排出するためのスロット１Ａが設けられる装置本体１と、この装置本体１の内部にそれぞれ設けられる記録再生機構２及びベースプレート３と、このベースプレート３を進退させるローディング機構４と、ベースプレート３に設けられディスクを保持するホールドアッセンブリ５と、装置本体１に回動自在に設けられスロット１Ａを開閉するシャッタ６とを備えて構成されている。
【０００８】
装置本体１は、合成樹脂からなるハウジング１１と、このハウジング１１の底部に取り付けられる図示しない底板と、この底板の端縁に係止されるとともにハウジング１１を覆う略箱状の上蓋１２と、ハウジング１１の下面に取り付けられた図示しない電気回路基板とを備えて構成される。
底板と上蓋１２とは、それぞれ板金で一体形成されている。
【０００９】
図２は図１の本実施形態においてベースプレート３とホールドアッセンブリ５を取り外した状態を示す平面図である。
図２において、記録再生機構２は、ディスクにレーザ光線を照射して情報を記録及び／又は再生する装置であり、ベース部２１と、このベース部２１に取り付けられディスクを載置する回転テーブル２２と、この回転テーブル２２に載置されたディスクにレーザ光を照射するとともにディスクから反射された光を読み取る記録再生機構本体２３と、この記録再生機構本体２３をディスクの径方向に沿って進退させる駆動機構２４とを備えている。これらの回転テーブル２２、記録再生機構本体２３及び駆動機構２４は、トレイタイプの再生記録装置のものと同様の構成である。
ベース部２１は、その一端部側（図２中上方側）が回動自在にハウジング１１に支持されるとともに他端部側（図２中下方側）がホールドアッセンブリ５に収納されたディスクに向けて近接離隔するようにスイング可能とされている。ベース部２１の他端部側にはベース部２１をスイングさせるためのスイング機構２５が設けられている。
駆動機構２４は、図示しないガイドロッドに沿って記録再生機構本体２３を進退させる図示しないモータを備える構成である。
【００１０】
図１において、ベースプレート３は、平面部３１と、この平面部３１の両側端縁で折り曲げ形成された折曲部３２（図３参照）とを備え、これらの平面部３１及び折曲部３２は板金で一体形成されている。
ベースプレート３の平面部３１には、ディスクを保持するクランパ７０と、このクランパ７０をベースプレート３が記録再生機構２まで前進した際にディスクに近接させスロット１Ａへ後退した際にディスクから離隔するクランパホールド機構７とがそれぞれ設けられている。
クランパ７０は平面部３１の上方に配置される円板７１と、この円板７１に平面部３１を挟んで対向配置されディスクの孔部に係止する円板状係止部（図示せず）と、これらの円板７１と円板状係止部とを連結する筒状部７２とを備えて構成されている。円板状係止部は図示しない鉄板部を備えており、この鉄板部が回転テーブル２２の図示しない磁石部に吸着されるようになっている。
【００１１】
クランパホールド機構７は、平面部３１のガイド３１Ａに案内されてベースプレート３の進退方向に進退自在とされた板状のホルダ７Ａを備えており、このホルダ７Ａはクランパ７０の筒状部７２に対向する先端部に略Ｕ字形状の開口部が形成され、かつ、この先端部に円板７１を上方に移動させるためのカム部７Ｂが形成されている。
ホルダ７Ａは、その上面に係合凸部７Ｃが形成されており、この係合凸部７Ｃは上蓋１２の天井面に形成された係合凸部１２Ａに係合可能とされている。
【００１２】
そのため、クランパホールド機構７は、円板７１を上方に支持しているホルダ７Ａがベースプレート３とともに前進（図１中上方に移動）して係合凸部７Ｃが上蓋１２の係合凸部１２Ａと当接すると、ベースプレート３が前進し続けるのに対してホルダ７Ａが停止してクランパ７０との係合が解除される。すると、クランパ７０は、回転テーブル２２の磁石の磁力により回転テーブル２２に吸着されディスクをクランプする。
これに対して、クランパホールド機構７は、ベースプレート３が後退（図１中下方に移動）すると、停止状態のホルダ７Ａに対してクランパ７０が近接して円板７１がカム部７Ｂによって上方に持ち上げられる。すると、クランパ７０がディスクから離隔されてクランプが解除される。クランパ７０のクランプが解除された状態ではディスクがホールドアッセンブリ５で収納可能となる。
【００１３】
図２において、ローディング機構４は、記録再生機構２にディスクが対向する位置（前進位置）とスロット側位置（後退位置）との間でベースプレート３を進退させるものであり、ハウジング１１に取り付けられベースプレート３が所定位置の前進開始位置に達した際に動作するとともに前進終了位置に達した際に動作が終了するモータ４１と、このモータ４１に連結する歯車機構４２と、この歯車機構４２に連結されベースプレート３の折曲部３２にベースプレート進退方向に沿って設けられたラック４３（図３参照）とを備えている。モータ４１は、図２中、中央部に位置している場合に回転動作を行い左右両側に位置している場合には回転動作を停止するスイッチレバー４１Ａを備えている。
【００１４】
図３にはベースプレート３の縦断面が示されている。
図３において、ベースプレート３の折曲部３２には、ラック４３の前記進退方向に沿った相対移動を許容する溝３２Ａが２カ所直列に形成されている。
ラック４３は、前記進退方向に延びて形成された取付部４３Ａと、この取付部４３Ａに設けられ溝３２Ａに係合する係合部４３Ｂと、取付部４３Ａの下部に設けられたラック本体４３Ｃとが合成樹脂で一体成形された構造である。
【００１５】
図２に戻り、歯車機構４２は、モータ４１の回転軸４１Ｂにベルト４２Ａを介して連結されるプーリ４２Ｂと、このプーリ４２Ｂに同軸上に設けられた第１歯車４２Ｃと、この第１歯車４２Ｃに噛合する第２歯車４２Ｄと、この第２歯車４２Ｄと噛合する第３歯車４２Ｅと、この第３歯車４２Ｅと噛合する第４歯車４２Ｆと、この第４歯車４２Ｆと噛合する第５歯車４２Ｇと、この第５歯車４２Ｇと噛合する第６歯車４２Ｈと、この第６歯車４２Ｈと噛合するとともにラック４３に噛合可能とされた第７歯車４２Ｉとを備えている。
モータ４１は、図示しないコントローラと接続されており、ディスク排出時に、このコントローラは、ベースプレート３が前進する方向に所定のあそびがあるように、ベースプレート３の初期位置を制御する（図３参照）。そのため、ディスク挿入時はベースプレート３が所定の位置まで抵抗なく前進できる。
【００１６】
ホールドアッセンブリ５の詳細な構成が図４〜図６に示されている。
図４にはホールドアッセンブリ５の平面が示されている。
図４において、ホールドアッセンブリ５は、ベースプレート３の上に平面内でベースプレート３の進退方向と直交する方向に移動自在に設けられたセレクトプレート５１と、ディスクの外周縁を押圧するとともにスロット１Ａに向けてディスクを排出するイジェクトアーム５２と、ベースプレート３にそれぞれ回動自在に取り付けられるとともにディスクの外周縁をそれぞれ押圧する２つの主アーム５３，５４と、イジェクトアーム５２に設けられる係合ピン５５と、イジェクトアーム５２で押し出されるディスクの押出力を緩めるためのダンパ機構５０とを備えた構成である。
【００１７】
イジェクトアーム５２は、図４及び図５に示される通り、平面略Ｕ字状に形成された板状の本体５２Ａと、この本体５２Ａの開口先端部にそれぞれ設けられディスクの外周面に当接可能な２つの当接部５２Ｂと、本体５２Ａの上面に形成されベースプレート３の長溝３Ｂに係合される係合部５２Ｃとを備えており、本体５２Ａ、当接部５２Ｂ及び係合部５２Ｃは合成樹脂で一体形成されている。
イジェクトアーム５２はアーム部材５２Ｄの一端部と連結されており、このアーム部材５２Ｄの他端部はベースプレート３に回動自在に支持されている。アーム部材５２Ｄとベースプレート３との間にはアーム部材５２Ｄを図４中時計方向に回動操作してイジェクトアーム５２を常時スロット１Ａ側に向けて付勢するばね５２Ｅが設けられている。
ダンパ機構５０はアーム部材５２Ｄの他端部側に設けられた大歯車５０Ａと、この大歯車５０Ａに噛合しベースプレート３に回転自在に設けられた小歯車５０Ｂとを備えている。小歯車５０Ｂはダンパとして機能するため、ばね５２Ｅの付勢力でイジェクトアーム５２を押し出す際に小歯車５０Ｂの減衰力により、押圧力が小さくなる。
【００１８】
主アーム５３，５４はそれぞれ所定の付勢力でディスクの外周縁を異なる箇所で押圧するものである。
図４中右側の主アーム５３は、平板状の本体５３Ａと、この本体５３Ａの先端側に設けられディスクの外周面に当接可能な当接部５３Ｂとを備え、本体５３Ａの後端部は、平面部３１に取り付けられた回動ピン５３Ｃを中心に回動自在に支持されている。
図４中左側の主アーム５４は、平板状の本体５４Ａと、この本体５４Ａの先端側に設けられディスクの外周面に当接可能な当接部５４Ｂとを備えている。
本体５４Ａは、その中央部が平面部３１に取り付けられた回動ピン５４Ｃを中心に回動自在に支持されている。
【００１９】
セレクトプレート５１にはベースプレート３の進退方向と直交する方向に沿って２カ所の係合長孔５１Ａが直列に形成されており、これらの係合長孔５１Ａには回動ピン５３Ｃ，５４Ｃの先端部がそれぞれ係合されている。
セレクトプレート５１の主アーム５３の先端部近傍にはベースプレート３の進退方向に沿って係合長孔５１Ｂが形成されており、この係合長孔５１Ｂには主アーム５３の先端部分に形成された係合ピン５３Ｄに係合されている。
セレクトプレート５１の主アーム５４の後端部近傍にはベースプレート３の進退方向に沿って係合長孔５１Ｃが形成されており、この係合長孔５１Ｃには主アーム５４の後端部分に形成された係合ピン５４Ｄに係合されている。
【００２０】
そのため、セレクトプレート５１は、主アーム５３，５４が開くと、係合ピン５３Ｄ，５４Ｄと係合長孔５１Ｂ，５１Ｃとが係合されてベースプレート３の進退方向と直交する一方向（図４中右方向）に移動し、主アーム５３，５４が閉じる時はコイルばね５Ａによりセレクトプレート５１は他方向（図４中左方向）に付勢されている。これにより、セレクトプレート５１が他方向に移動するので、主アーム５３，５４が閉じる。
セレクトプレート５１の後端部はベースプレート３の後端左角部に設けられたばね係止用突起３３とコイルばね５Ａを介して連結されており、このコイルばね５Ａの付勢力により、セレクトプレート５１は図４中左方向に付勢されることで、主アーム５３，５４が常時、閉じる方向に付勢されている。
【００２１】
係合ピン５５は、図５及び図６に示される通り、略円柱状のピン本体５５Ａと、このピン本体５５Ａが一端部に固定され中央部がイジェクトアーム５２の本体５２Ａに回動自在に支持されるロッド５５Ｂと、このロッド５５Ｂと本体５２Ａとの間に介装されピン本体５５Ａをセレクトプレート５１側に付勢するばね５５Ｃとを備えて構成されている。
ロッド５５Ｂの他端部はカム部材５５Ｄに当接可能とされており、このカム部材５５Ｄはベースプレート３の折曲部３２にベースプレート３の移動方向に沿って進退自在に設けられている。
カム部材５５Ｄは折曲部３２から外側に突出した突出部５５Ｅを備えており、この突出部５５Ｅはハウジング１１に形成された図示しない突起に当接可能とされる。
【００２２】
図４に戻り、ホールドアッセンブリ５には、アームロック機構５６と、アームロック解除機構５７と、ベースプレート前進ロック解除機構５８と、停止機構５９とがそれぞれ設けられている。
アームロック機構５６はイジェクトアーム５２及び主アーム５３，５４がディスクを保持した際に、これらのアーム５２〜５４をロックするものであり、セレクトプレート５１に２箇所形成された係合孔５１１，５１２と、これらの係合孔５１１，５１２にピン本体５５Ａが係合する前記係合ピン５５とを備えて構成されている。ピン本体５５Ａが係合孔５１１，５１２から離脱されると、イジェクトアーム５２は、ばね５２Ｅの付勢力でディスク排出方向に移動し、主アーム５３，５４は、その先端部分がコイルばね５Ａの付勢力で互いに近接する方向に回動する。なお、ベースプレート３がスロット１Ａ側へ後退すると、突出部５５Ｅがハウジング１１の突起に当接してカム部材５５Ｄの移動が規制されるが、ベースプレート３とともに係合ピン５５が移動するので、係合ピン５５のロッド５５Ｂは、その他端部がカム部材５５Ｄに当接して回動し、ピン本体５５Ａが係合孔５１１，５１２から離脱されることになる。
係合孔５１１，５１２の一方５１１は大きなディスクを保持する位置に設定されており、その他方５１２は小さなディスクを保持する位置に設定されている。
【００２３】
アームロック解除機構５７はアームロック機構５６でディスクをロックしたアーム５２〜５４を開放操作してロック解除をするものであり、ベースプレート３に回動自在に取り付けられた回動板５７Ａと、この回動板５７Ａの端部と係合するスライダ５７Ｂとを備えて構成されている。
回動板５７Ａは、その外周縁近傍に係合突起５７Ｃが形成され、この係合突起５７Ｃはセレクトプレート５１にベースプレート３の進退方向に沿って形成された係合溝５１Ｄに係合可能とされている。また、回動板５７Ａには係合片５７Ｄ１，５７Ｄ２が形成されており、これらの係合片５７Ｄ１，５７Ｄ２の一方がスライダ５７Ｂに形成された当接部５７Ｅに当接可能とされる。この回動板５７Ａが図中時計方向に回動することで、セレクトプレート５１が右側に移動して主アーム５３，５４を開放操作する。
【００２４】
スライダ５７Ｂは、ハウジング１１の側面にベースプレート３の進退方向に沿って進退自在に取り付けられており、図示しないばねでディスク挿入方向（図４中上方）に付勢されている。
スライダ５７Ｂがばねの付勢力に抗してディスク排出方向（図４中下方）に移動すると、当接部５７Ｅが回動板５７Ａの係合片５７Ｄと当接することになり、セレクトプレート５１を図４中右側に向けて移動させる（図８参照）。この際、セレクトプレート５１の右側への移動を許容するために、係合ピン５５のピン本体５５Ａが逃げるために係合孔５１１，５１２が長孔形状とされる。
【００２５】
ベースプレート前進ロック解除機構５８は、イジェクトアーム５２及び主アーム５３，５４が所定位置でディスクを保持した際にのみベースプレート３の前進を許容するものであり、セレクトプレート５１とベースプレート３との間に設けられたブリッジプレート５８１及びブリッジカム５８２を備えている。
ブリッジプレート５８１は、ベースプレート３の後端辺に沿って図４中左右方向に進退自在に取り付けられた細長い板状部材であり、その左端部側はコイルばね５８Ａを介してベースプレート３と連結され、その右端部は係止部５８Ｂが形成されている。
この係止部５８Ｂはハウジング１１と一体形成された係止ブロック１１Ａに当接可能とされ、係止部５８Ｂが係止ブロック１１Ａに係止されている状態ではベースプレート３のディスク挿入方向の移動が規制される。
【００２６】
ブリッジプレート５８１は、ブリッジカム５８２の側縁部と対向する位置にピン状のカム部５８１Ａを備えており、このカム部５８１Ａがブリッジカム５８２の側縁部に形成されたカム面５８２Ａ，５８２Ｂと係合することで、コイルばね５８Ａの付勢力に抗してブリッジプレート５８が左側に移動して係止ブロック１１Ａとのロックが解除される。
小さなディスクが正しい姿勢で主アーム５３，５４に保持されるとともにイジェクトアーム５２を押し込むと、ブリッジカム５８２のカム面５８２Ａがカム部５８１Ａに係合してブリッジプレート５８１を移動させ、大きなディスクが正しい姿勢で主アーム５３，５４に保持されるとともにイジェクトアーム５２を押し込むと、ブリッジカム５８２のカム面５８２Ｂがカム部５８１Ａに係合してブリッジプレート５８１を移動させる。
そのため、ディスクが正しい姿勢で挿入されるとイジェクトアーム５２がディスク挿入方向に移動することになり、ブリッジプレート５８が左側に移動してロックが解除されるが、ディスクが正しくない姿勢で挿入されると、イジェクトアーム５２がディスク挿入方向にスムーズに移動できないので、ブリッジプレート５８が移動することなくロックがされたままとなる。
ブリッジカム５８２とセレクトプレート５１との間にはブリッジカム５８２をカム部５８１Ａから離隔する方向に付勢するばね５８３が設けられている。
【００２７】
停止機構５９は、図５及び図６に示される通り、セレクトプレート５１に２カ所形成される係合凹部５１Ｅ，５１Ｆと、これらの係合凹部５１Ｅ，５１Ｆに係合される前記係合ピン５５とを備えて構成されている。
停止機構５９は大小２種類のディスクをそれぞれイジェクトアーム５２及び主アーム５３，５４で保持される状態で停止するものであるため、係合凹部５１Ｅ，５１Ｆが異なる箇所に形成されている。つまり、係合凹部５１Ｅ，５１Ｆの一方５１Ｅは大きなディスクを停止させる位置に設定されており、その他方５１Ｆは小さなディスクを停止させる位置に設定されている。
係合凹部５１Ｅは図５（Ａ）に示される通り、ピン本体５５Ａの先端部が対向する平面部５１Ｇと、この平面部５１Ｇとセレクトプレート５１のイジェクトアームに対向する平面とに接続された傾斜面部５１Ｈとを備えている。傾斜面部５１Ｈは主アーム５３，５４が開放される際のセレクトプレート５１の移動方向に沿って形成されている。係合凹部５１Ｆも係合凹部５１Ｅと同様に平面部と傾斜面部とを備えて構成されている。
【００２８】
図７には、スイング機構２５及びシャッタ６の詳細な構成が示されている。
図７において、スイング機構２５は、ベースプレート３が進退する方向と直交する方向に往復動自在に配置されたクランプカム２５Ａと、ベース部２１の他端部に形成されるとともにクランプカム２５Ａに形成されたカム溝２５０に案内される２本のピン２１Ａとを備え、記録再生機構２の非動作時にクランプカム２５Ａが図７中左方向（図２中右方向）に移動することでベース部２１の他端部が下降し、記録再生機構２の動作時にクランプカム２５Ａが図７中右方向（図２中左方向）に移動することでベース部２１の他端部が上昇する構成である。
本実施形態は、ベースプレート３の進退動作と記録再生機構２のスイング動作とを切り換える動作切換機構を備える。カム溝２５０は、ピン２１Ａが係合した状態でベースプレート３の進退に伴ってクランプカム２５Ａが水平方向（図７中左右方向）に移動することを許容する水平部と、記録再生機構２を昇降させるための傾斜部とを備え、この傾斜部の両側に水平部が連続して形成されている。
クランプカム２５Ａは連結部２５Ｂを備え、この連結部２５Ｂは第４歯車４２Ｆと噛合するラック部２５Ｃと、シャッタ６に向けて突出形成された係止部２５Ｄとを備えている。第４歯車４２Ｆの正逆回転によりクランプカム２５Ａは図７中矢印方向に進退動する。連結部２５Ｂにはスイッチレバー４１Ａの動作方向に沿って孔部２５Ｅが形成されており、この孔部２５Ｅの端縁にスイッチレバー４１Ａが当接可能とされている。
【００２９】
シャッタ６はスロット１Ａを覆うに十分な大きさを有する略断面コ字形の長尺状の本体６Ａと、この本体６Ａの両端部にそれぞれ折り曲げ形成された腕部６Ｂとを備え、これらの腕部６Ｂが回動中心とされる。本体６Ａが上昇した位置ではスロット１Ａを覆い、本体６Ａが下降した位置ではスロット１Ａを開放する。本体６Ａと腕部６Ｂとは板金で一体形成されている。
本体６Ａはシャッタ６を回動操作するため係止部２５Ｄと係合するカム部６Ｃと、このカム部６Ｃに隣接した係止片部６Ｄとを備えている。
【００３０】
カム部６Ｃは、記録再生機構２の動作時にクランプカム２５Ａが図７中右方向に移動することで本体６Ａを上昇させ記録再生機構２の非動作時に図７中左方向に移動することで本体６Ａを下降させるように斜めに形成されている。
係止部２５Ｄには連結機構としての回動カム６１が回動自在に設けられている。この回動カム６１は本体６Ａ側の一端部に設けられた係止部６１Ａと、他端部に設けられた当接部６１Ｂとを備え、クランプカム２５Ａが図７中右方向に移動してストロークエンドに達した際に係止部６１Ａが係止片部６Ｄと当接して回動し当接部６１Ｂがスイッチレバー４１Ａを図７中右側に倒してローディング機構４のモータ４１の駆動が停止する。このスイッチレバー４１Ａの当該動作に伴って記録再生機構２の駆動が開始される。
【００３１】
図８にはアームロック解除機構５７と連動する連動機構８の構成が示されている。
図８において、連動機構８は、スライダ５７Ｂの端部に係合可能な係合ピン８１Ａを有する第１ギヤ部材８１と、この第１ギヤ部材８１に噛合する第２ギヤ部材８２とを備えて構成されている。第２ギヤ部材８２は、クランプカム２５Ａに係合噛可能な係合ピン８２Ａを備えている。
連動機構８は、ベースプレート３が前進位置に到達した後、引き続き移動するクランプカム２５Ａに係合ピン８２Ａが係合して第２ギヤ部材８２を回動し、この第２ギヤ部材８２の回動に伴って第１ギヤ部材８１が回動して係合ピン８１Ａでスライダ５７Ｂを移動させてアームロック解除機構５７を作動させる。
【００３２】
図１１において、ローディング機構４にはホールドアッセンブリ５をマニュアルでイジェクトするマニュアルイジェクト機構９が設けられている。
マニュアルイジェクト機構９は、主として、第４歯車４２Ｆと同軸上に形成されたギア部４２Ｆ１と噛合するラック状のワンウェイクラッチ９２と、このワンウェイクラッチ９２を進退動させるイジェクト部材９３とからなる。
カム部材９１は、図９に示される通り、平面略Ｌ字形に形成されており、その内部にクランプカム２５Ａに突出して形成されたピン状の係合部２５Ｆと係合するカム溝９１Ａが形成されている。このカム部材９１はクランプカム２５Ａの図２中右側への移動に伴ってディスク排出方向へ移動する。
【００３３】
ワンウェイクラッチ９２及びイジェクト部材９３の構成が図１１に示されている。
図１１において、ワンウェイクラッチ９２は、ギア部が斜めに形成されており、クランプカム２５Ａを所定方向（図２中右方向）に移動させる場合にのみ駆動を伝達し、ワンウェイクラッチ９２が逆方向に移動する場合には駆動を伝達しない。
また、ワンウェイクラッチ９２は、常に、当初の位置に戻るように、その端部がハウジング１１とコイルばね９４で連結されている。
【００３４】
イジェクト部材９３は、複数回押すことでディスクを取り出すもので、ワンウェイクラッチ９２の端部を押圧する押圧部９３Ａと、この押圧部９３Ａと一体に形成された回動部９３Ｂと、この回動部９３Ｂと一体に形成されピン９５で回動操作するためのピン当接部９３Ｃとを備えている。イジェクト部材９３は、適宜な形状、例えば、レバー状に形成される。
イジェクト部材９３を複数回押すことでベースプレート３がディスク排出方向に移動するが、このベースプレート３の移動に伴ってアームロック解除機構５７の回動板５７Ａが図２中反時計方向に回動して主アーム５３，５４を閉じるようにされる。
ここで、本実施形態は、イジェクト部材９３をマニュアルで押すことで前記ディスクＤをロックするディスクロック機構１０を備えている。
図９及び図１０において、ベースプレート３と歯車機構４２との間にはベースプレート３が所定位置まで前進した際にモータ４１の回転をスタートさせるスタートカム機構４５が設けられている。
このスタートカム機構４５は、ベースプレート３のスロット側端部下方に設けられたスタートカム４６と、このスタートカム４６に係合する係合部２５Ｆが設けられたカム部材９１と、このカム部材９１に設けられたベースロック４７と、カム部材９１と係合するクランプカム２５Ａとを備えている。
スタートカム４６は、平面略矩形状とされた厚板部材であり、その下面には係合部２５Ｆと係合するカム溝４６Ａが形成されている。このカム溝４６Ａはベースプレート３の進退方向に沿った直線溝部４６Ａ１と係合部２５Ｆを図９中左側に移動させるための傾斜溝部４６Ａ２とを備えている。ベースプレート３を手動によって押し込む（前進させる）と、図９中最右端側に位置するクランプカム２５Ａは係合部２５Ｆがカム溝４６Ａ１よりカム溝４６Ａ２に係合することで左側に移動してスイッチレバー４１Ａが切り替わってモータ４１が回転動作を開始する。
図９及び図１０において、スタートカム４６は、その前進方向側端部（図９中上端部）がカム部材９１の端部に形成された係止用突起９１Ｂに係止可能とされ、その後退方向端部（図９中下端部）がベースロック４７に係止可能とされる。
ベースロック４７は、スタートカム４６の端部を係止する係止爪４７Ａがカム部材９１の上面から出没するように回動自在に設けられた本体４７Ｂと、この本体４７Ｂを係止爪４７Ａがカム部材９１の上面から没入する方向に付勢するばね４７Ｃとを備えている。
図１２に示される通り、本体４７Ｂの係止爪４７Ａと反対側の底部にはガイド部４７Ｄが形成され、このガイド部４７Ｄはハウジング１１に形成されたガイド部材１１Ｂの上面に案内されている。これにより、ベースロック４７は、図９に対応する位置にある場合には係止爪４７Ａがカム部材９１の上面から没入された状態にあり（図１２（Ａ）参照）、カム部材９１が前進して図１０に対応する位置にある場合にはガイド部４７Ｄがガイド部材１１Ｂに案内されることで係止爪４７Ａがカム部材９１の上面から突出してスタートカム４６を係止用突起９１Ｂとの間で挟持する状態になる（図１２（Ｂ）参照）。
【００３５】
次に、本実施形態の作用について、図１３から図２１を参照して説明する。
まず、大きなディスクＤをスロットイン型再生記録装置に装着する方法を図１３から図１７に基づいて説明する。
大きなディスクＤをスロットイン型再生記録装置のスロット１Ａに挿入するにあたり、ディスクＤを主アーム５３，５４に押し付けて開かせるとともにイジェクトアーム５２に押し付ける。
すると、図１３に示される通り、主アーム５３，５４の当接部５３Ｂ，５４Ｂが開くことでセレクトプレートがコイルばね５Ａの付勢力に抗して図中右側方向に移動するとともに、イジェクトアーム５２がばね５２Ｅの付勢力に抗して図１３中上方に向けて前進する。
【００３６】
この状態で、さらにディスクＤを押し込んでディスクＤが所定位置に到達するまで前進させると、図１４に示される通り、イジェクトアーム５２は、ばね５８３の付勢力に抗してブリッジカム５８２を前進させ、このブリッジカム５８２のカム面５８２Ｂがブリッジプレート５８１のカム部５８１Ａと係合する。すると、ブリッジプレート５８１がばね５８Ａの付勢力に抗して図１４中左側に向けて移動することになり、係止部５８Ｂとハウジング１１の係止ブロック１１Ａとのロック状態が解除される。ロック状態の解除により、ベースプレート３のさらなる前進が可能となる。
この動作と略同時にイジェクトアーム５２のピン本体５５Ａは、図１５に示される通り、係合孔５１１に係合することになる。これにより、アームロック機構５６が機能するので、ディスクＤはイジェクトアーム５２及び主アーム５３，５４で保持された状態となる。
ここで、ディスクＤを押し込むことで、アーム５２〜５４が取り付けられたベースプレート３が前進することになるが、この際、ベースプレート３の折曲部３２にはラック４３の前記進退方向に沿って溝３２Ａが形成されているため、ベースプレート３の前進時にかかる負荷が少ない。
【００３７】
ベースプレート３のロックが解除され、ベースプレート３がさらに前進し続けると、ベースプレート３に設けられたスタートカム４６によってクランプカム２５Ａの係合部２５Ｆが図９中左側に移動することになり、スイッチレバー４１Ａが右側から中央に移動してモータ４１が回転し始める。
すると、モータ４１の回転は歯車機構４２を介してラック４３に伝達され、ラック４３及びベースプレート３とともにディスクＤを保持したホールドアッセンブリ５が前進し続ける。
ベースプレート３の前進途中において、スタートカム４６が係止用突起９１Ｂを押し込むことで、ベースプレート３はカム部材９１を前進させる。すると、カム部材９１のカム部９１Ａとクランプカム２５Ａの係合部２５Ｆが係合してクランプカム２５Ａを左側に移動させ、ラック部２５Ｃが歯車機構４２の第４歯車４２Ｆと噛合する。この状態では、既にモータ４１が回転しているため、歯車機構４２が作動しているので、クランプカム２５Ａは左方向へ移動し続けることになり、カム部材９１も前進し続ける。これに伴って、ベースロック４７は係止用突起９１Ｂとの間でスタートカム４６を挟持し、その状態で前進させるので、ラック４３と歯車機構４２との噛合状態が解除されても、ホールドアッセンブリ５が前進する。なお、記録再生機構２が作動している状態でもベースロック４７と係止用突起９１Ｂとでスタートカム４６を挟持しているので、ベースプレート３は動くことがない。
ベースプレート３が前進している途中において、図１６に示される通り、クランパホールド機構７が作動してホルダ７Ａからクランパ７０が離脱されてディスクの中心部に対向する。
【００３８】
クランプカム２５Ａが左方向に移動し続けると、スイング機構２５が作動してベース部２１が上昇し、記録再生機構２が再生及び／又は記録可能な姿勢となる。記録再生機構２が記録再生位置に近づくと、回転テーブル２２内の磁石がディスクＤを間に挟んだ状態でクランパ７０に吸着してディスクＤをクランプする。
ディスクＤのクランプと同時に、主アーム５３，５４を開いて当接部５３Ａ，５４ＡがディスクＤから離隔される。つまり、クランプカム２５Ａが左方向に移動し続け、連動機構８を介してスライダ５７Ｂが図１６中下方に移動すると、スライダ５７Ｂは係合片５７Ｄ１と係合して回動板５７Ａを時計方向に回動させる。回動板５７Ａの回動操作に伴ってセレクトプレート５１が図中右方向に移動し、主アーム５３，５４が開かれる。
ベースプレート３の前進が終了し記録再生機構２が記録再生位置にスイングするのと同時に、シャッタ６がスロット１Ａを閉じる、つまり、クランプカム２５Ａの左方向の移動に伴って係止部２５Ｄとカム部６Ｃとの係合位置が変化してシャッタ６がスロット１Ａを閉じるように回動する。さらにクランプカム２５Ａが移動し続けると、クランプカム２５Ａに設けられた回動カム６１は、その係止部６１Ａが係止片部６Ｄに当接することで図１７中反時計方向に回動し、当接部６１Ｂがスイッチレバー４１Ａを切り換えることで、モータ４１に回転停止の指令が送られる。
【００３９】
記録再生機構２の駆動が終了したら、図示しないイジェクトボタンを押してモータ４１を逆方向に回転させる。すると、モータ４１が逆に回転してクランプカム２５Ａは図中右側に移動する。すると、クランプカム２５Ａに連結されている連動機構８を介してスライダ５７Ｂが図１６中上方に移動すると、回動板５７Ａはコイルばね５Ａの付勢力により図中反時計方向に回動し、セレクトプレート５１が図中左方向に移動し、主アーム５３，５４が閉じられてディスクＤが保持された状態となる。
クランプカム２５Ａが右側に移動することで、ディスクＤの保持動作と略同時に、記録再生機構２がスイングして初期位置に戻り、シャッタ６がスロット１Ａを開放する。
クランプカム２５Ａがさらに右側に移動することで、カム部材９１が後退し、カム部材９１に設けられた係止用突起９１Ｂがスタートカム４６を図中前方に押すことで、ベースプレート３を後退させる。
クランプカム２５Ｂがさらに右側に移動することで、ラック４３が歯車機構４２の第７歯車４２Ｉと噛合する。この噛合の直後に第４歯車４２Ｆとラック部２５Ｃとが噛合しなくなってクランプカム２５Ａが停止することになるが、歯車機構４２の第７歯車４２Ｉがラック４３と噛合することで、ベースプレート３が後退し続ける。なお、ラック４３はベースプレート３に形成された溝３２Ａにより、進退方向に対して移動可能なので、ギア乗り上げによる動作停止が防止される。
ベースプレート３はラック４３に第７歯車４２Ｉが噛合することで、後退し続け、クランパホールド機構７が作動してホルダ７Ａでクランパ７０を保持する。
ベースプレート３が所定位置まで後退すると、カム部材５５Ｄは突出部５５Ｅがハウジング１１に形成された図示しない突起に当接することで停止する。一方、ベースプレート３は後退し続けているので、係合ピン５５の先端はカム部材５５Ｄのカム面に沿って移動することで、ピン本体５５Ａが係合孔５１１から離脱する。すると、ばね５２Ｅの付勢力によってアーム部材５２Ｄがイジェクトアーム５２をディスクＤとともにスロット側に押し出す。
係合ピン５５が係合孔５１１から離脱すると略同時に、ベースプレート３は初期位置となり、スタートカム４６がクランプカム２５Ａを右側に移動させ、スイッチレバー４１Ａを切り換えてモータ４１の回転を停止させる。
【００４０】
ベースプレート３がスロット１Ａ側に向けて移動（後退）しており、イジェクトアーム５２が所定位置にある状態では、イジェクトアーム５２に取り付けられた係合ピン５５は係合凹部５１Ｅに入って凹部の側壁に当接し、そこで係止する。これにより、ディスクＤがスロット１Ａから飛び出さない。
この停止状態にあるディスクＤを引き抜くと、セレクトプレート５１のコイルばね５Ａで主アーム５３，５４が互いに閉じる方向に付勢される。これにより、セレクトプレート５１は左方向に移動する。セレクトプレート５１に形成された係合凹部５１Ｅは、その右側が傾斜面となっているので、係合ピン５５の先端は、その傾斜面を通過し、イジェクトアーム５２はスロット１Ａ側に移動し、イジェクトアーム５２及び主アーム５３，５４はディスクＤを入れる前の状態に戻る。
【００４１】
小さなディスクＤをスロットイン型再生記録装置に装着する方法は大きなディスクＤの場合と同じであるが、図１８から図２１に基づいて簡単に説明する。
図１８に示される通り、大きなディスクＤの場合と同様に、小さなディスクＤを主アーム５３，５４に押し付けて開かせるとともにイジェクトアーム５２に押し付ける。
【００４２】
この状態で、さらにディスクＤを押し込むと、図１９に示される通り、イジェクトアーム５２はブリッジカム５８２を前進させるが、大きなディスクＤの場合とは異なり、このブリッジカム５８２のカム面５８２Ａがブリッジプレート５８１のカム部５８１Ａと係合する。すると、大きなディスクＤの場合と同様に、係止部５８Ｂとハウジング１１の係止ブロック１１Ａとのロック状態が解除される。
ロック状態の解除動作と略同時にイジェクトアーム５２のピン本体５５Ａは、図２０に示される通り、係合孔５１２に係合し、小さなディスクＤはイジェクトアーム５２及び主アーム５３，５４で保持された状態となる。
記録再生機構２が記録再生位置に近づくと、回転テーブル２２内の磁石がディスクＤを間に挟んだ状態でクランパ７０に吸着して小さなディスクＤをクランプする。
【００４３】
小さなディスクＤのクランプと同時に、主アーム５３，５４を開いて当接部５３Ａ，５４Ａが小さなディスクＤから離隔される。つまり、クランプカム２５Ａが左方向に移動し続け、連動機構８を介してスライダ５７Ｂが図２１中下方に移動すると、スライダ５７Ｂは係合片５７Ｄ２と係合して回動板５７Ａを時計方向に回動させる。
記録再生機構２の駆動が終了した場合の手順も大きなディスクＤの場合と同じであるが、イジェクトアーム５２の押出動作が停止するにあたり、イジェクトアーム５２に取り付けられた係合ピン５５は係合凹部５１Ｆに入って凹部の側壁に当接し、そこで係止する。
【００４４】
従って、本実施形態によれば、次の作用効果を奏することができる。
（１）ディスクＤを挿入排出するためのスロット１Ａが設けられる装置本体１と、この装置本体１の内部に設けられるとともにディスクＤを収納するホールドアッセンブリ５を備え、このホールドアッセンブリ５は、それぞれ所定の付勢力でディスクＤの外周縁を異なる箇所から押圧する３つのアーム５２〜５４を有する構成としたので、付勢力によって大小２種類のディスクＤを保持できるとともに、アーム５２〜５４がディスクＤの表面に触れることがないので、ディスク表面を汚すことがない。ディスクＤの表面が汚れないことから、再生及び／又は記録の精度が低下することがない。
【００４５】
しかも、スロット１Ａに向けてディスクＤを排出するとともにディスクＤの外周縁を押圧するイジェクトアーム５２と、ベースプレート３にそれぞれ回動自在に取り付けられるとともにディスクＤの外周縁をそれぞれ押圧する２つの主アーム５３，５４とでディスクＤをスロット１Ａから排出する際に排出操作を停止する停止機構５９を備え、この停止機構５９は、イジェクトアーム５２に設けられるとともにセレクトプレート５１側に付勢される係合ピン５５と、セレクトプレート５１に形成されディスクＤが主アーム５３，５４及びイジェクトアーム５２で保持される状態で係合ピン５５を係止する係合凹部５１Ｅ，５１Ｆとを有し、セレクトプレート５１は主アーム５３，５４の開閉操作に伴ってディスク排出方向と直交する方向に移動可能とされたので、ディスクＤの取り出し時に停止機構５９が作用してディスクＤが装置前面の一定位置で停止してディスクＤがスロット１Ａから飛び出すことを防止できる。
【００４６】
（２）係合凹部５１Ｅ，５１Ｆは、係合ピン５５のピン本体５５Ａの先端が対向する平面部５１Ｇと、この平面部５１Ｇとセレクトプレート５１のイジェクトアーム５２に対向する平面とに接続されイジェクトアーム５２の移動方向とは交差する方向に沿って傾斜した傾斜面部５１Ｈとを備えているので、停止機構５９の構造を簡易なものにできる。
（３）係合ピン５５と、セレクトプレート５１に形成された係合孔部５１１，５１２とを備えてディスクＤを保持した際に主アーム５３，５４及びイジェクトアーム５２をロックするアームロック機構５６を有するので、ディスクＤをロックすることで、ディスクＤを装置内で確実に搬送することができる。
【００４７】
（４）アームロック機構５６でディスクＤをロックしたアーム５３，５４を開放操作してロック解除をするアームロック解除機構５７を備えて構成したので、ディスクＤを記録及び／又は再生する際に、ディスクＤをフリーにして記録再生機構２の回転テーブル２２により容易に回転させることができる。
（５）ベースプレート３と、ディスクＤを記録及び／又は再生する記録再生機構２と、この記録再生機構２にディスクＤが対向する位置とスロット側位置との間でベースプレート３を進退させるローディング機構４とを備えたから、ホールドアッセンブリ５及びベースプレート３がディスクＤを収納するトレイと同様の機能を有するので、記録再生機構２をトレイタイプの再生記録装置のものと共用することができる。
【００４８】
（６）ベースプレート３には記録再生時のディスクＤを保持するクランパ７０が設けられ、このクランパ７０をベースプレート３が記録再生機構２まで前進した際にディスクＤに近接させスロット１Ａへ後退した際にディスクＤから離隔するクランパホールド機構７を備えたので、ディスクＤが記録再生機構２に対応する位置に前進した際に、クランパ７０をディスクＤに装着することで、ディスクＤの再生及び／又は記録をスムーズに行えるとともに、ディスクＤが搬入・搬出される際にクランパ７０と干渉しない。
【００４９】
（７）記録再生機構２が動作している場合にスロット１Ａを覆い記録再生機構２が動作していない場合にスロット１Ａを開放するシャッタ６を装置本体１に設けたから、既にディスクＤが挿入されているスロット１Ａに誤って別のディスクＤを挿入するというミスを防止できる。
しかも、シャッタ６はローディング機構４の駆動を停止するとともに記録再生機構２の駆動を開始するスイッチレバー４１Ａと回動カム６１を介して連結されているから、シャッタ６がないとスイッチレバー４１Ａが切り替わって記録再生機構２が作動しないので、装置製造時におけるシャッタ６の付け忘れを防止することができる。
【００５０】
（８）イジェクトアーム５２で押し出されるディスクＤの押出力を緩めるためのダンパ機構５０を備えたので、スロット１ＡからディスクＤが急激に飛び出さないので、ディスクＤの排出時における取扱が容易である。
（９）ローディング機構４は、モータ４１と、このモータ４１に連結される歯車機構４２と、この歯車機構４２と連結されるとともにベースプレート３の進退方向に沿って設けられたラック４３とを備え、このラック４３とベースプレート３との間には前記進退方向に沿った相対移動を許容する溝３２Ａが形成され、ベースプレート５と歯車機構４２との間にはベースプレート３が所定位置まで前進した際にモータ４１の回転をスタートさせるスタートカム機構４５が設けられているから、ベースプレート３を押し込む際に、溝３２Ａの分のみベースプレート３が負荷なく前進できるので、ディスクＤを手で挿入する場合、ローディング操作を楽に行える。つまり、ローディング機構４は多くの歯車を備えて構成されており、これらの歯車による減速比も大きいことから、ベースプレートを押して歯車を空転させるには大きな押圧力を必要とするが、本実施形態のように溝３２Ａをベースプレート３に形成すれば、ベースプレート３を少ない負荷で押してスイッチを操作することができる。
【００５１】
（１０）ホールドアッセンブリ５をマニュアルでイジェクトするマニュアルイジェクト機構９を備えたので、停電時等で装置が動かなくなっても、ディスクＤを取り出すことができる。しかも、マニュアルイジェクト機構９は、複数回押すことでディスクＤを取り出すイジェクト部材９３を有する構成であるから、停電直後にディスクＤを取り出す際に、ディスクＤが慣性力で回転している状態であっても、イジェクト部材９３を１回操作しただけではディスクＤが飛び出さないので、ディスクＤの取扱が容易である。
（１１）イジェクト部材９３を押すことでディスクＤをロックするディスクロック機構１０を備えたので、ディスクＤを強制的にロックすることで、回転した状態でディスクＤがスロット１Ａから排出されることが防止される。そのため、この点からも、ディスクＤの取扱が容易となる。
【００５２】
（１２）マニュアルイジェクト機構９はイジェクト部材９３をマニュアルで押す方向のみの駆動を伝達するワンウェイクラッチ９２を備えているので、複数回押すことでディスクＤを取り出すイジェクト部材９３の構造を簡易なものにできる。
（１３）記録再生機構２は一端部側が回動自在に支持されるとともに他端部側がホールドアッセンブリ５に収納されたディスクＤに向けて近接離隔するようにスイング可能に装置本体１に取り付けられているので、ディスクＤを記録再生機構２に向けて落下させる構造に比べて、ディスクＤと記録再生機構２との相対位置を適正なものにできるので、再生や記録を精度良く行うことができる。
【００５３】
（１４）係合凹部５１Ｅ，５１Ｆを２カ所設けたので、大小２種類ディスクＤをスロット１Ａから排出する際に、それぞれ停止させることができる。
（１５）イジェクトアーム５２は略Ｕ字形の本体５２Ａを備え、この本体５２Ａには２つの当接部５２Ｂが設けられているので、ディスクＤを２カ所で押圧することで、ディスクＤの押し出しをスロット１Ａに向けて真っ直ぐに行うことができる。
【００５４】
（１６）主アーム５３，５４はコイルばね５Ａで付勢されるので、当接部５３Ｂ，５４Ｂの回動ストロークを大きくとることができる。そのため、径の差が大きな複数種類のディスクＤをホールドすることが可能となる。
（１７）アームロック機構５６は、セレクトプレート５１に２箇所形成された係合孔５１１，５１２と、これらの係合孔５１１，５１２にピン本体５５Ａが係合する係合ピン５５とを備えて構成されているから、セレクトプレート５１が主アーム５３，５４の回動に伴って移動することで、異なる位置に形成された複数の係合孔５１１，５１２のいずれかに係合ピン５５が係合して正確に主アーム５３，５４をロックすることができる。そのため、アームロック機構５６の構造を簡易なものにできる。
（１８）ホールドアッセンブリ５が設けられたベースプレート３と、ディスクＤを記録及び／又は再生する記録再生機構２と、この記録再生機構２にディスクＤが対向する位置とスロット側位置との間でベースプレート３を進退させるローディング機構４と、ベースプレート３の進退動作と記録再生機構２のスイング動作とを切り換える動作切換機構とを備えたから、ベースプレート３の進退動作と記録再生機構２のスイング動作とが一連の動作として連続して行われ、これらの動作が同時並行して行われることがない。そのため、これらの一連の動作において各機構を構成する部品が干渉することがないので、装置の故障を未然に防止できる。
（１９）セレクトプレート５１とベースプレート３との間には３つのアーム５２〜５４が所定位置でディスクＤを保持した際にのみベースプレート３の前進を許容するベースプレート前進ロック解除機構５８が設けられているので、スロット１Ａの中央からずれた位置で押し込み続ける等、無理な姿勢でディスクＤをスロット１Ａに押し込んだり、円形でないディスクを押し込んだり、さらには、規定のディスクとは大きさの異なるディスクを押し込む際にベースプレート３が前進することがないから、ベースプレート３の前進に伴う装置の作動を中止して故障を未然に防止することができる。
（２０）ベースプレート前進ロック解除機構５８は、ベースプレート３の前記進退方向に交差する方向に往復動自在に設けられるとともに一端部が係止ブロック１１Ａに係止可能とされたブリッジプレート５８１と、このブリッジプレート５８１に設けられたカム部５８１Ａと係合可能とされるとともに主アーム５３，５４が所定位置にある場合にイジェクトアーム５２の前進に伴ってブリッジプレート５８１を他端部側に移動させるブリッジカム５８２とを備えたから、ブリッジプレート５８１とブリッジカム５８２という比較的簡単な構成の部材を用いることで、ベースプレート前進ロック解除機構５８自体を簡易な構造とすることができる。
【００５５】
なお、本発明は前述の実施の形態に限定されるものではなく、本発明の目的を達成できる範囲での変形、改良等は本発明に含まれるものである。
例えば、前記実施形態では、大きさの異なる２種類のディスクＤを適用する場合について説明したが、大きさの異なる３種類以上のディスクＤや大きさが同じディスクＤに適用できる。この場合、ディスクＤの種類の数に応じて係止凹部を形成することになる。この際、ディスクＤの種類に応じてカムの位置が決定される。
また、イジェクトアーム５２及び主アーム５３，５４は、それぞれ、その付勢力をばねで与える構成としたが、ばねに代えてゴム等の弾性部材を用いてもよい。
【００５６】
イジェクトアーム５２を、先端部に２つの当接部５２Ｂが設けられた略Ｕ字形に形成したが、本発明では、イジェクトアームは略Ｕ字形である必要はなく、当接部は１つのみでもよい。但し、当接部５２Ｂを２つ設けると、ディスクＤの直進性が向上する。
また、ラック４３とベースプレート３との相対移動を許容する溝３２Ａをラック４３に設けてもよい。さらに、溝３２Ａはベースプレート３の進退方向に沿って２カ所直列に設けられたが、この溝３２Ａは１カ所であってもよい。但し、前記実施形態のように２カ所設けると、ラック４３の直進性が確保できる。
前記実施形態では、スイッチレバー４１Ａは、モータ４１の回転動作を行う中央位置と、回転動作を停止する左右両側の位置との３位置で切換操作する構成であったが、本発明では、２位置で切換操作するスイッチレバー４１Ａを用いてもよい。例えば、２位置切換スイッチを２個用いてもよく、あるいは、１個用いてもよい。
【図面の簡単な説明】
【図１】本発明の一実施形態における内部構造の全体を示す平面図である。
【図２】図１においてベースプレートとホールドアッセンブリを取り外した状態を示す平面図である。
【図３】ベースプレートの縦断面図である。
【図４】ホールドアッセンブリの平面図である。
【図５】（Ａ）は停止機構を示す断面図であり、（Ｂ）は係合ピン及びイジェクトアームを示す平面図である。
【図６】停止機構を示すもので、図５（Ａ）とは異なる方向からみた断面図である。
【図７】スイング機構及びシャッタを示す斜視図である。
【図８】連動機構の平面図である。
【図９】シャッタ及びスタートカム機構を示す平面図である。
【図１０】シャッタ及びスタートカム機構を示す平面図である。
【図１１】マニュアルイジェクト機構の要部を示す平面図である。
【図１２】スタートカム機構の要部を示す断面図である。
【図１３】大きなディスクの装着方法を説明するための平面図である。
【図１４】大きなディスクの装着方法を説明するための要部平面図である。
【図１５】大きなディスクの装着方法を説明するための平面図である。
【図１６】大きなディスクの装着方法を説明するための平面図である。
【図１７】連結機構（回動カム）が作動した状態を示す平面図である。
【図１８】小さなディスクの装着方法を説明するための平面図である。
【図１９】小さなディスクの装着方法を説明するための要部平面図である。
【図２０】小さなディスクの装着方法を説明するための平面図である。
【図２１】小さなディスクの装着方法を説明するための平面図である。
【符号の説明】
１      装置本体
１Ａ      スロット
２      記録再生機構
３      ベースプレート
４      ローディング機構
５      ホールドアッセンブリ
６      シャッタ
７      クランパホールド機構
８      連動機構
９      マニュアルイジェクト機構
１０      ディスクロック機構
２１      ベース部
２５Ａ      クランプカム
２５      スイング機構
３２Ａ      溝
４１      モータ
４１Ａ      スイッチレバー
４５      スタートカム機構
４６      スタートカム
４７      ベースロック
５０      ダンパ機構
５１      セレクトプレート
５１Ｅ，５１Ｆ      係合凹部
５２      イジェクトアーム
５３，５４      主アーム
５６      アームロック機構
５７      アームロック解除機構
５９      停止機構
６１      回動カム（連結機構）
７０      クランパ
９３      イジェクト部材
５１１，５１２      係合孔
【図１】
2004246969.tif 000003
【図２】
2004246969.tif 000004
【図３】
2004246969.tif 000005
【図４】
2004246969.tif 000006
【図５】
2004246969.tif 000007
【図６】
2004246969.tif 000008
【図７】
2004246969.tif 000009
【図８】
2004246969.tif 000010
【図９】
2004246969.tif 000011
【図１０】
2004246969.tif 000012
【図１１】
2004246969.tif 000013
【図１２】
2004246969.tif 000014
【図１３】
2004246969.tif 000015
【図１４】
2004246969.tif 000016
【図１５】
2004246969.tif 000017
【図１６】
2004246969.tif 000018
【図１７】
2004246969.tif 000019
【図１８】
2004246969.tif 000020
【図１９】
2004246969.tif 000021
【図２０】
2004246969.tif 000022
【図２１】
2004246969.tif 000023